(57)【要約】【課題】複数の付勢手段で分散して付勢力を与えるヒンジ装置であって回転軸に沿って配線ケーブルを配することができるヒンジ装置並びにこのヒンジ装置を取り付けた電子機器を提供する。【解決手段】ヒンジ装置８は、回転シャフト２０と固定カム２１と第１の摺動カム２２ａと第２の摺動カム２２ｂと第１のコイルばね２３ａと第２のコイルばね２３ｂと第１のスペーサ２４ａと第２のスペーサ２４ｂと第１の外郭２５ａと第２の外郭２５ｂとストッパー２６とワッシャ２７とを有している。第１の端部３１側では第１の係止溝６３ａを通じてヒンジ装置８に第１の外郭２５ａ及び回転シャフト２０を回転させる力を与え、第２の端部３２側では第２の係止溝６３ｂを通じて第２の外郭２５ｂ及び固定カム２１を回転させる力を加える構造とする。【選択図】図３
2008019989.tif 000002
【特許請求の範囲】
【請求項１】
回転軸方向一端の第１の端部と前記回転軸方向他端の第２の端部とを有し前記第１の端部と前記第２の端部との間を前記回転軸方向に貫通した配線通路を有する回転シャフトと、
前記第１の端部側を向いた第１の固定カム面と前記第２の端部側を向いた第２の固定カム面とをもち前記回転シャフトにより挿通されて前記回転シャフトに対して相対的に回転自在な固定カムと、
前記第１の固定カム面に対向する第１の摺動カム面をもち前記回転シャフトにより挿通されている第１の摺動カムであって、前記回転シャフトに沿って摺動可能で前記回転シャフトと共に回転する前記第１の摺動カムと、
前記第２の固定カム面に対向する第２の摺動カム面をもち前記回転シャフトにより挿通されている第２の摺動カムであって、前記回転シャフトに沿って摺動可能で前記回転シャフトと共に回転する前記第２の摺動カムと、
前記回転シャフトが回転自在に挿通されている保持側底部と、前記保持側底部から前記固定カム側に延設されて前記固定カムを相対的に固定する保持側壁部とを有する固定カム保持手段と、
前記第１の端部側から前記第１の摺動カムを前記固定カムに向けて付勢する第１の付勢手段と、
前記保持側底部と前記第２の摺動カムとの間で前記第２の摺動カムを前記固定カムに向けて付勢する第２の付勢手段と、
を備える、ヒンジ装置。
【請求項２】
前記第１の固定カム面は、前記回転シャフトを中心として対称的に配設された２つの第１のカム溝をもち、前記第２の固定カム面は、前記回転シャフトを中心として対称的に配設された２つの第２のカム溝をもち、
前記第１の摺動カム面は、前記回転シャフトを中心として対称的に配設された２つの第１のカム突起をもち、前記第２の摺動カム面は、前記回転シャフトを中心として対称的に配設された２つの第２のカム突起をもち、前記第１のカム突起と前記第２のカム突起とは前記回転軸方向に重なる位置に配設されている、
請求項１のヒンジ装置。
【請求項３】
前記固定カムは、回転の中心から外側に向けて突設された回転止凸部を有し、
前記固定カム保持手段の前記壁部は、回転止凸部を回転方向において係止する回転止凹部を有する、
請求項１又は請求項２のヒンジ装置。
【請求項４】
前記配線通路に挿入された配線ケーブルを更に備える、請求項１から請求項３のいずれかのヒンジ装置。
【請求項５】
前記回転シャフトが挿通されている回転側底部と、前記回転側底部から前記固定カム側に延設されて前記第１の摺動カムと前記第１の付勢手段とを前記回転軸の外側から覆っている回転側壁部とを有する回転側外郭を更に備え、
前記保持側壁部は、前記第２の摺動カムと前記第２の付勢手段とを前記回転軸の外側から覆い、
前記回転側底部の前記固定カム側の開口縁部と、前記保持側壁部の前記固定カム側の開口縁部とが対向して摺動する、
請求項２のヒンジ装置。
【請求項６】
前記固定カム保持手段の前記固定側底部を相対的に固定するストッパーをさらに備える、
請求項５のヒンジ装置。
【請求項７】
請求項１から請求項６のいずれかのヒンジ装置と、
前記回転シャフトが相対的に固定された第１の筐体と、
前記固定カム保持手段が相対的に固定されており前記第１の筐体に対して相対的に開閉する第２の筐体と、
を備える、電子機器。
【請求項８】
請求項６のヒンジ装置と、
前記回転シャフトが相対的に固定された第１の筐体と、
前記固定カム保持手段が相対的に固定されており前記第１の筐体に対して相対的に開閉する第２の筐体と、を備え、
前記第２の筐体は、突出した第１のヒンジカバーと第２のヒンジカバーとを有し、
前記第１の筐体は、前記第１のヒンジカバーと前記第２のヒンジカバーとの間に位置する第３のヒンジカバーを有し、
前記第２のヒンジカバー及び前記第３のヒンジカバーは、前記第２のヒンジカバーを貫通して前記第３のヒンジカバー内に延びた収装孔を有し、
前記第３のヒンジカバーは、前記収装孔奥側に前記回転側底部を係止する係止部材を有し、
前記ヒンジ装置は、前記第２のヒンジカバー側から前記収装孔に挿入されて、前記係止部材により前記回転側底部を係止され、前記ストッパーを前記第２のヒンジカバー内に圧入されることにより前記収装孔内に搭載されている、電子機器。
【発明の詳細な説明】
【技術分野】
【０００１】
本発明は、ヒンジ装置並びにこのヒンジ装置を取り付けた電子機器に関する。
【背景技術】
【０００２】
二つ折りの携帯電話でディスプレイ側の筐体とキーボード側の筐体とをつなぎ、開閉の際にクリック感を発生させるヒンジ装置が種々知られている。
【０００３】
特許文献１には、回転シャフトと共に回転する１つの摺動カムと、回転シャフトに対して相対的に回転可能な１つの固定カムとを備え、表面に凹凸を設けた摺動カムと固定カムとをスプリングにより付勢して圧接させることによりクリック感を得るヒンジ装置が開示されている。
【０００４】
特許文献２には、開閉軸用固定カムの両側からコイルばねで付勢された開閉軸用回転カムを圧接してクリック感を得る２軸ヒンジが開示されている。
【０００５】
【特許文献１】特開平１０−６５７７８号公報
【特許文献２】特開２００２−１５５９２３号公報
【発明の開示】
【発明が解決しようとする課題】
【０００６】
近年、携帯電話の形態の多様化に伴い、２つの筐体を接続する配線ケーブルをヒンジ内部の回転軸方向に沿って配置することが求められている。しかしながら、特許文献１の回転シャフト内に配線ケーブルを配置すると回転シャフトの径が大きくなるため、圧接力を与えるスプリングを大きくする必要がある。一方、特許文献２の２軸ヒンジは、回転軸中央の開閉軸用固定カムに対して両端が一体となって回転するため、回転軸に沿って配線ケーブルを配しても、２つの筐体間を接続することができない。
【０００７】
本発明は、複数の付勢手段で分散して付勢力を与えるヒンジ装置であって回転軸に沿って配線ケーブルを配することができるヒンジ装置並びにこのヒンジ装置を取り付けた電子機器を提供することを目的とする。
【課題を解決するための手段】
【０００８】
第１のヒンジ装置は、回転シャフトと固定カムと第１の摺動カムと第２の摺動カムと固定カム保持手段と第１の付勢手段と第２の付勢手段とを有する。回転シャフトは、回転軸方向一端の第１の端部と回転軸方向他端の第２の端部とを有し第１の端部と第２の端部との間を回転軸方向に貫通した配線通路を有する。固定カムは、第１の端部側を向いた第１の固定カム面と第２の端部側を向いた第２の固定カム面とをもち回転シャフトにより挿通されて回転シャフトに対して相対的に回転自在である。第１の摺動カムは、第１の固定カム面に対向する第１の摺動カム面をもち回転シャフトにより挿通され、回転シャフトに沿って摺動可能で回転シャフトと共に回転する。第２の摺動カムは、第２の固定カム面に対向する第２の摺動カム面をもち回転シャフトにより挿通され、回転シャフトに沿って摺動可能で回転シャフトと共に回転する。固定カム保持手段は、回転シャフトが回転自在に挿通されている保持側底部と、保持側底部から固定カム側に延設されて固定カムを相対的に固定する保持側壁部とを有する。第１の付勢手段は、第１の端部側から第１の摺動カムを固定カムに向けて付勢する。第２の付勢手段は、保持側底部と第２の摺動カムとの間で第２の摺動カムを固定カムに向けて付勢する。
【０００９】
このような第１のヒンジ装置によれば、複数の付勢手段で分散して付勢力を与えるとともに回転軸に沿って配線ケーブルを配することができる。
【００１０】
第２のヒンジ装置は、第１のヒンジ装置において、第１の固定カム面が、回転シャフトを中心として対称的に配設された２つの第１のカム溝をもち、第２の固定カム面が、回転シャフトを中心として対称的に配設された２つの第２のカム溝をもち、第１の摺動カム面が、回転シャフトを中心として対称的に配設された２つの第１のカム突起をもち、第２の摺動カム面が、回転シャフトを中心として対称的に配設された２つの第２のカム突起をもち、第１のカム突起と第２のカム突起とは回転軸方向に重なる位置に形成されている。このような第２のヒンジ装置によれば、複数の付勢手段で分散して付勢力を与えるとともに回転軸に沿って配線ケーブルを配することができ、かつ、良好なクリック感を与えることができる。
【００１１】
第３のヒンジ装置は、第１又は第２のヒンジ装置において、固定カムが、回転の中心から外側に向けて突出した回転止凸部を有し、固定カム保持手段の壁部は、回転止凸部を回転方向において係止する回転止凹部を有する。このような第３のヒンジ装置によれば、複数の付勢手段で分散して付勢力を与えるとともに回転軸に沿って配線ケーブルを配することができ、かつ、固定カムを固定カム保持手段で確実に保持することができる。
【００１２】
第４のヒンジ装置は、第１から第３のいずれかのヒンジ装置において、配線通路に挿入された配線ケーブルを更に備える。このような第４のヒンジ装置によれば、複数の付勢手段で分散して付勢力を与えるとともに回転軸に沿って配線ケーブルを配することができる。
【００１３】
第５のヒンジ装置は、第２のヒンジ装置において、回転シャフトが挿通されている回転側底部と、回転側底部から固定カム側に延設されて第１の摺動カムと第１の付勢手段とを回転軸の外側から覆っている回転側壁部とを有する回転側外郭を更に備え、保持側壁部は、第２の摺動カムと第２の付勢手段とを回転軸の外側から覆い、回転側底部の固定カム側の開口縁部と、保持側壁部の固定カム側の開口縁部とが対向して摺動する。このような第５のヒンジ装置によれば、複数の付勢手段で分散して付勢力を与えるとともに回転軸に沿って配線ケーブルを配することができ、かつ、ヒンジ装置を取り扱い易くなる。
【００１４】
第６のヒンジ装置は、第５のヒンジ装置において、固定カム保持手段の固定側底部を相対的に固定するストッパーをさらに備える。この第６のヒンジ装置によれば、複数の付勢手段で分散して付勢力を与えるとともに回転軸に沿って配線ケーブルを配することができ、かつ、ヒンジ装置を取り扱い易くなる。
【００１５】
第１の電子機器は、第１から第６のいずれかのヒンジ装置と、回転シャフトが相対的に固定された第１の筐体と、固定カム保持手段が相対的に固定されており第１の筐体に対して相対的に開閉する第２の筐体とを備える。この第７のヒンジ装置によれば、複数の付勢手段で分散して付勢力を与えるとともに回転軸に沿って配線ケーブルを配することができる。
【００１６】
第２の電子機器は、第６のヒンジ装置と、回転シャフトが相対的に固定された第１の筐体と、固定カム保持手段が相対的に固定されており第１の筐体に対して相対的に開閉する第２の筐体とを備え、第２の筐体が、突出した第１のヒンジカバーと第２のヒンジカバーとを有し、第１の筐体が、第１のヒンジカバーと第２のヒンジカバーとの間に位置する第３のヒンジカバーを有し、第２のヒンジカバー及び第３のヒンジカバーが、第２のヒンジカバーを貫通して第３のヒンジカバー内に延びた収装孔を有し、第３のヒンジカバーが、収装孔奥側に回転側底部を係止する係止部材を有し、ヒンジ装置が、第２のヒンジカバー側から収装孔に挿入されて、係止部材により回転側底部を係止され、ストッパーを第２のヒンジカバー内に圧入されることにより収装孔内に搭載されている。この第７のヒンジ装置によれば、複数の付勢手段で分散して付勢力を与えるとともに回転軸に沿って配線ケーブルを配することができ、かつ、ヒンジ装置の電子機器への取付が容易となる。
【発明を実施するための最良の形態】
【００１７】
図１は、本実施形態の携帯電話機１の開いた状態を示す斜視図であり、図２は、携帯電話機１の閉じた状態を示す斜視図である。本実施形態では、電子機器の一例として携帯電話機１について説明するが、複数の部材をヒンジ装置で連結してケーブルを配線するような電子機器であれば、本発明の趣旨を逸脱しない範囲で携帯電話機以外の携帯端末その他の装置であってもよい。
【００１８】
携帯電話機１は、それぞれ略直方体形状の上部筐体２と下部筐体３とを備える。上部筐体２は上部内側筐体４と上部外側筐体５とを有し、下部筐体３は下部内側筐体６と下部外側筐体７とを有する。上部筐体２は略長方形状の上部内面１０を有し、下部筐体３は略長方形状の下部内面１１を有する。図１のように携帯電話機１が開いた状態では上部内面１０と下部内面１１とが略同じ方向を向き、図２のように携帯電話機１が閉じた状態では上部内面１０と下部内面１１とが向かい合った状態となる。
【００１９】
図１に示す様に、携帯電話機１は上部内面１０及び下部内面１１の短辺付近に設けられて開閉動作時に回転軸として機能する連結部１２を備えている。連結部１２は、下部内側筐体６に設けられた第１及び第２のヒンジカバー１３ａ及び１３ｂと、下部外側筐体７に設けられた側面カバー１４と、上部外側筐体５に設けられた第３のヒンジカバー１５と、上部内側筐体４に設けられた第４のヒンジカバー１７とにより構成されており、内部には図３で示すようなヒンジ装置８及びコネクタ付ケーブル９が配置されている。
【００２０】
図１に示す第１及び第２のヒンジカバー１３ａ及び１３ｂは、下部内面１１から突き出すように下部内面１１の短辺の一端及び他端に配置されている。第１のヒンジカバー１３ａと第２のヒンジカバー１３ｂとを結ぶ方向によって、携帯電話機１の開閉動作の回転軸方向が規定される。第１及び第２のヒンジカバー１３ａ及び１３ｂには、回転軸方向に貫くような孔が内部に設けられており、回転軸方向外側から側面カバー１４が第１及び第２のヒンジカバー１３ａ及び１３ｂの孔を覆っている。第１のヒンジカバー１３ａと第２のヒンジカバー１３ｂとの間には略円筒形の第３のヒンジカバー１５が配置されている。第３のヒンジカバー１５の回転軸方向中央付近には略半円筒状の開口１６が設けられ、第４のヒンジカバー１７が開口１６を覆っている。第１のヒンジカバー１３ａと第３のヒンジカバー１５との間の内部にはシャフトが搭載されており、第２のヒンジカバー１３ｂと第３のヒンジカバー１５との間の内部には図３に示すようなヒンジ装置８が搭載されている。第３のヒンジカバー１５は、第１のヒンジカバー１３ａ及び第２のヒンジカバー１３ｂの間で回転軸周りに回転する。
【００２１】
図３は、連結部１２に搭載されているヒンジ装置８とコネクタ付ケーブル９の斜視図である。コネクタ付ケーブル９は、ヒンジ装置８の内部を通って上部筐体２から下部筐体３まで配線されているケーブル１８と、ケーブル１８の上部筐体２側端部にハーネスされた第１のコネクタ１９ａと、ケーブル１８の下部筐体３側端部にハーネスされた第２のコネクタ１９ｂとを備えている。
【００２２】
図４は、ヒンジ装置８の分解斜視図である。ヒンジ装置８は、回転シャフト２０と固定カム２１と第１の摺動カム２２ａと第２の摺動カム２２ｂと第１のコイルばね２３ａと第２のコイルばね２３ｂと第１のスペーサ２４ａと第２のスペーサ２４ｂと第１の外郭２５ａと第２の外郭２５ｂとストッパー２６とワッシャ２７とを有している。
【００２３】
図５は、ヒンジ装置８を第１の外郭２５ａ側からみた斜視図である。
【００２４】
図４に示す様に、回転シャフト２０は、軸部３０と第１の端部３１と第２の端部３２と配線経路３３とを有している。軸部３０は、断面が直線部分をもつ略楕円の環状となっており回転軸方向に延在している。なお、本明細書中で略楕円とは、円形の外周の一部に平行な一対の直線部分をもつ形状も含むものとする。本実施形態の第１の端部３１は、軸部３０の一端から直線部をもつ略楕円のフランジ状に延設されている。第２の端部３２は、断面が軸部３０より小径の円環状であって軸部３０の他端から回転軸方向に延設されている。配線通路３３は、第１の端部３１と軸部３０と第２の端部３２とを回転軸方向に貫いている。図３に示す様に、配線経路３３にはケーブル１８が挿通されている。
【００２５】
図４に示す様に、固定カム２１は、第１の摺動カム２２ａと第２の摺動カム２２ｂとの間に配設されており、第１の摺動カム２２ａ側を向いた第１の固定カム面４０ａと、第２の摺動カム２２ｂ側を向いた第２の固定カム面４０ｂとを有しており、第１の固定カム面４０ａと第２の固定カム面４０ｂの間を貫通するように固定カム貫通孔４１が設けられている。
【００２６】
固定カム貫通孔４１は、回転シャフト２０の軸部３０を回転軸方向に挿通するための孔であり、軸部３０の断面の最大径よりも大きな径を持つため固定カム貫通孔４１内で回転シャフト２０が自在に回転することができる。
【００２７】
第１の固定カム面４０ａ内には固定カム貫通孔４１を挟んだ両側に２つの第１のカム溝４２ａが設けられており、第２の固定カム面４０ｂ内には固定カム貫通孔４１を挟んだ両側に２つの第２のカム溝４２ｂが設けられており、第１のカム溝４２ａと第２のカム溝４２ｂとは回転軸方向において重なる位置に互いに逆方向を向いて配置されている。
【００２８】
固定カム２１は、回転軸周りの外周面４３を有しており、外周面４３には回転軸に直交する方向に突出した２つの回転止凸部４４が設けられている。２つの回転止凸部４４は、回転軸を中心として互いに対称的な位置に配置されており、２つの回転止凸部４４を結ぶ方向と２つの第１のカム溝４２ａを結ぶ方向とが直交している。
【００２９】
第１の摺動カム２２ａは、固定カム２１と第１のコイルばね２３ａとの間に配設されており、固定カム２１側を向いた第１の摺動カム面５０ａと、第１のコイルばね２３ａ側を向いた第１の付勢面５１ａとを有している。第１の摺動カム面５０ａと第１の付勢面５１ａとの間には、回転シャフト２０の軸部３０を挿通するための第１の摺動孔５２ａが設けられており、第１の摺動カム面５０ａには、第１の固定カム面４０ａ側に突出して第１のカム溝４２ａに嵌め合わすことができる第１のカム突起５３ａが設けられている。
【００３０】
第２の摺動カム２２ｂは、固定カム２１と第２のコイルばね２３ｂとの間に配設されており、固定カム２１側を向いた第２の摺動カム面５０ｂと、第２のコイルばね２３ｂ側を向いた第２の付勢面５１ｂとを有している。第２の摺動カム面５０ｂと第２の付勢面５１ｂとの間には、回転シャフト２０の軸部３０を挿通するための第２の摺動孔５２ｂが設けられており、第２の摺動カム面５０ｂには、第２の固定カム面４０ｂ側に突出して第２のカム溝４２ｂに嵌め合わすことができる第２のカム突起５３ｂが設けられている。
【００３１】
第１の摺動孔５２ａ及び第２の摺動孔５２ｂの形状は、回転シャフト２０の軸部３０の断面とほぼ同じ大きさの略楕円である。第１の摺動カム２２ａ及び第２の摺動カム２２ｂは、軸部３０に沿って回転軸方向に摺動可能であり、回転シャフト２０の回転に伴って共に回転する。
【００３２】
第１のカム突起５３ａと第２のカム突起５３ｂとは回転軸方向において重なる位置に配置されており、第１のカム突起５３ａが第１のカム溝４２ａに嵌め合わされたときに、第２のカム突起５３ｂも第２のカム溝４２ｂに嵌め合わされる。
【００３３】
第１のコイルばね２３ａは、第１の摺動カム２２ａと第１のスペーサ２４ａとの間で圧縮されながら回転シャフト２０に環巻きされており、第１の付勢面５１ａ側から第１の摺動カム２２ａを固定カム２１側に付勢することにより、第１の摺動カム面５０ａと第１の固定カム面４０ａとを圧接させている。
【００３４】
第２のコイルばね２３ｂは、第２の摺動カム２２ｂと第２のスペーサ２４ｂとの間で圧縮されながら回転シャフト２０に環巻きされており、第２の付勢面５１ｂ側から第２の摺動カム２２ｂを固定カム２１側に付勢することにより、第２の摺動カム面５０ｂと第２の固定カム面４０ｂとを圧接させている。
【００３５】
第１の摺動カム２２ａ及び第２の摺動カム２２ｂを固定カム２１に付勢する力を第１のコイルばね２３ａと第２のコイルばね２３ｂとの２つの付勢手段で分散して与えることにより、１つの付勢手段で付勢する場合に比較して第１のコイルばね２３ａ及び第２のコイルばね２３ｂの各付勢力を小さくし、線径や外形サイズを小さくすることができ、ヒンジ装置８自体を小さく形成することができる。特に、回転シャフト２０内にケーブル１８を挿通するような本実施形態のヒンジ装置８では、ケーブル１８を挿通しない場合に比較して回転シャフト２０の径が大きくなるため、付勢手段を複数設けることによりヒンジ装置８の大型化を抑えることができる。
【００３６】
第１のスペーサ２４ａは、第１のコイルばね２３ａと第１の外郭２５ａとの間に挟まれた円環状の板材であり、回転シャフト２０の軸部３０が挿通するための第１のスペーサ貫通孔５４ａが設けられている。第１のスペーサ貫通孔５４ａの形状は、軸部３０の断面とほぼ同じ略楕円形状であり、回転シャフト２０の回転に伴って第１のスペーサ２４ａが回転する。
【００３７】
第２のスペーサ２４ｂは、第２のコイルばね２３ｂと第２の外郭２５ｂとの間に挟まれた円環状の板材であり、回転シャフト２０の第２の端部３２が挿通するための第２のスペーサ貫通孔５４ｂが設けられている。第２のスペーサ貫通孔５４ｂの形状は、回転シャフト２０の第２の端部３２の断面とほぼ同じ円形であり、第２のスペーサ貫通孔５４ｂ内で回転シャフト２０が自在に回転する。
【００３８】
第１の外郭２５ａは、第１の底部６１ａと第１の壁部６０ａとを有する。
【００３９】
第１の底部６１ａは、第１のスペーサ２４ａと回転シャフト２０の第１の端部３１との間に位置して回転軸に直交する面内で円盤状に広がっており、回転軸方向に回転シャフト２０の軸部３０が挿通するための第１の底部貫通孔６２ａが設けられている。第１の底部貫通孔６２ａの形状は、軸部３０の断面とほぼ同じ大きさの略楕円であり、回転シャフト２０の回転に伴って第１の外郭２５ａが回転する。図５に示す様に、第１の底部６１ａの外周縁部には、回転シャフト２０を中心とした対称的な位置に２つの第１の係止溝６３ａが設けられている。図５に示す様に、第１の端部３１は、第１の底部６１ａに面接触しており回転シャフト２０がヒンジ装置８の内部に入り込むのを防いでいる。
【００４０】
図４に示す様に第１の壁部６０ａは、第１の底部６１ａの外周縁部から固定カム２１に向かって回転軸方向に延設する円筒形状の部位であり、第１の摺動カム２２ａと第１のコイルばね２３ａと第１のスペーサ２４ａとを回転軸の外周方向から覆っている。
【００４１】
第２の外郭２５ｂは、第２の底部６１ｂと第２の壁部６０ｂとを有し、固定カム２１を相対的に固定する固定カム保持手段として機能する。
【００４２】
第２の底部６１ｂは、第２のスペーサ２４ｂとストッパー２６との間に位置して回転軸に直交する面内で円盤状に広がっており、回転軸方向に回転シャフト２０が挿通するための第２の底部貫通孔６２ｂが設けられている。第２の底部貫通孔６２ｂの形状は、回転シャフト２０の第２の端部３２の断面とほぼ同じ大きさの略円形であり、回転シャフト２０が第２の底部貫通孔６２ｂ内で自在に回転する。第２の底部６１ｂの外周縁部には、第２の底部貫通孔６２ｂを中心とした対称的な位置に２つの第２の係止溝６３ｂが設けられている。
【００４３】
第２の壁部６０ｂは、第２の底部６１ｂの外周縁部から固定カム２１に向かって回転軸方向に延設する円筒形状の部位であり、固定カム２１と第２の摺動カム２２ｂと第２のコイルばね２３ｂと第２のスペーサ２４ｂとを覆う。第２の壁部６０ｂには、固定カム２１の外周面４３を覆う一部を切り欠いて２つの回転止凹部６４が設けられている。２つの回転止凹部６４は、回転軸を中心とした対称的な位置に配設されている。
【００４４】
図３に示す様に、回転止凹部６４には固定カム２１の回転止凸部４４が係止されており、図４の回転シャフト２０が回転しても固定カム２１は第２の外郭２５ｂに対して相対的に固定される。図３に示す様に、第１の壁部６０ａの固定カム２１側の端部と、第２の壁部６０ｂの固定カム２１側の端部とは摺動可能に接している。回転止凹部６４で回転止凸部４４を係止することにより、固定カム２１を確実に第２の外郭２５ｂに固定することができる。
【００４５】
図４に示すストッパー２６は、第２の底部６１ｂとワッシャ２７との間に設けられた板状の部材であり、回転軸方向に回転シャフト２０の第２の端部３２が挿通するためのストッパー貫通孔７０が設けられている。ストッパー貫通孔７０の形状は、第２の端部３２の断面とほぼ同じ大きさの略円形であり、回転シャフト２０がストッパー貫通孔７０内で自在に回転する。ストッパー２６は、２つの第２の係止溝６３ｂに対向する位置に２つの第２の係止片７１ｂを備えている。
【００４６】
第１の外郭２５ａ、第２の外郭２５ｂ、及び、ストッパー２６の全てあるいはいずれかを備えることにより、ヒンジ装置８が取り扱い易くなる。
【００４７】
図３に示す様に、第２の係止溝６３ｂに第２の係止片７１ｂが係止されており、回転シャフト２０が回転しても第２の外郭２５ｂはストッパー２６に対して回転せずに相対的に固定されたままとなる。
【００４８】
図４のワッシャ２７は、円環状の板材で、ワッシャ２７と第２の底部６１ｂとの間にストッパー２６を挟むように回転シャフト２０の第２の端部３２に回転自在に嵌め合わされている。第２の端部３２の先端は、ワッシャ２７の外側でかしめられている。
【００４９】
図６は、携帯電話機１の連結部１２付近の拡大斜視図であり、上部外側筐体５と下部内側筐体６とを描いている。
【００５０】
第３のヒンジカバー１５内には、第１のヒンジカバー１３ａ側の開口１６内半分を埋めるように略円筒の係止部材７２が固定されており、係止部材７２は上部外側筐体５とともに回転する。係止部材７２は、第２のヒンジカバー１３ｂ側に突設された２つの第１の係止片７１ａと、第２のヒンジカバー側に向かって略楕円形に開口して回転シャフト２０の第１の端部３１を係止するシャフト係止部７３と、上部外側筐体５側に開口された配線出口７４とを有している。２つの第１の係止片７１ａは、ヒンジ装置８の２つの第１の係止溝６３ａに係止される。
【００５１】
第３のヒンジカバー１５内の第２のヒンジカバー１３ｂ側と、第２のヒンジカバー１３ｂ内には、矢印７６で示される回転軸方向にヒンジ装置８を装着するための収装孔７５が設けられている。
【００５２】
図７は、収装孔７５にヒンジ装置８を装着した状態を示す斜視図である。ヒンジ装置８の第１の係止溝６３ａに係止部材７２の第１の係止片７１ａが係止され、図３のヒンジ装置８の回転シャフト２０が図６の係止部材７２のシャフト係止部７３に係止されることにより、ヒンジ装置８の回転シャフト２０及び第１の外殻２５ａが上部外側筐体５と一体に回転する。図７に示す様に、ヒンジ装置８のストッパー２６は、収装孔７５内に回転不能に圧入されており、ヒンジ装置８のストッパー２６が下部内側筐体６と一体となって回転する。
【００５３】
ヒンジ装置８内の配線通路３３を通って図４に示す第１の端部３１側から出ているケーブル１８は、図６の配線出口７４から上部外側筐体５内に案内されており、第１のコネクタ１９ａが上部外側筐体５側に配置されている。図４に示す第２の端部３２側から出ているケーブル１８は、下部内側筐体６内に延びており、第２のコネクタ１９ｂが下部内側筐体６側に配置されている。
【００５４】
図８及び図９は、ヒンジ装置８の正面透視図であり、説明の便宜上、図３に示す第１の外殻２５ａ及び第２の外郭２５ｂは、図から省略している。省略された第１の外殻２５ａは、回転シャフト２０と第１の摺動カム２２ａと第２の摺動カム２２ｂとスペーサ２４ａと一体に回転する。第２の外郭２５ｂは、固定カム２１及びストッパー２６と一体となって回転する。
【００５５】
図８は、図２のように携帯電話機１の上部筐体２と下部筐体３とが相対的に完全に閉じたときのヒンジ装置８の状態を示している。固定カム２１の第１のカム溝４２ａに第１の摺動カム２２ａの第１のカム突起５３ａが落ち込むと共に、固定カム２１の第２のカム溝４２ｂに第２の摺動カム２２ｂの第２のカム突起５３ｂが落ち込んだ状態で、第１のコイルばね２３ａ及び第２のコイルばね２３ｂが第１の摺動カム２２ａ及び第２の摺動カム２２ｂを固定カム２１側に付勢している。
【００５６】
図９は、上部筐体２が下部筐体３に対して相対的に若干開いたときのヒンジ装置８の状態を示している。上部筐体２と下部筐体３との相対的な回転に伴って回転シャフト２０がストッパ２６に対して相対的に回転し、これに伴って第１の摺動カム２２ａ及び第２の摺動カム２２ｂが固定カム２１に対して相対的に回転し、第１のカム突起５３ａ及び第２のカム突起５３ｂが第１のカム溝４２ａ及び第２のカム溝４２ｂの外の第１の固定カム面４０ａ及び第２の固定カム面４０ｂにそれぞれ乗り上げる。
【００５７】
上部筐体２を下部筐体３に対してさらに開くと、第１のコイルばね２３ａ及び第２のコイルばね２３ｂの付勢力により、第１のカム突起５３ａ及び第２のカム突起５３ｂが、第１の固定カム面４０ａ及び第２の固定カム面４０ｂにそれぞれ圧接されて、摺動する。
【００５８】
上部筐体２を下部筐体３に対して１８０度回転させて完全に開いた図１のような状態では、図８と同様に第１のカム突起５３ａ及び第２のカム突起５３ｂが、第１のコイルばね２３ａ及び第２のコイルばね２３ｂの付勢力により第１のカム溝４２ａ及び第２のカム溝４２ｂに再び落ち込み、クリック感が得られる。閉じるときにも、第１のカム突起５３ａ及び第２のカム突起５３ｂが、第１のカム溝４２ａ及び第２のカム溝４２ｂに落ち込む際に良好なクリック感が得られる。
【００５９】
第１の端部３１側から第１の係止溝６３ａを通じてヒンジ装置８に第１の外郭２５ａ及び回転シャフト２０を回転させる力を与え、第２の端部３２側から第２の係止溝６３ｂを通じて第２の外郭２５ｂ及び固定カム２１を回転させる力を加える構造とすることにより、ヒンジ装置８の両端を保持するだけで、ヒンジ装置８を動作させることができる。
【図面の簡単な説明】
【００６０】
【図１】本実施形態の携帯電話機を開いた状態を示す斜視図である。
【図２】図１の携帯電話機を閉じた状態を示す斜視図である。
【図３】図１の携帯電話機に搭載されているヒンジ装置及びコネクタ付ケーブルの斜視図である。
【図４】図３のヒンジ装置の分解斜視図である。
【図５】図３のヒンジ装置を他方向から描いた斜視図である。
【図６】図１の携帯電話機の上部外側筐体と下部内側筐体との連結部付近の拡大図である。
【図７】図１の携帯電話機の連結部付近の分解拡大図である。
【図８】図３のヒンジ装置の一状態を説明するための側面透視図である。
【図９】図３のヒンジ装置の他の状態を説明するための側面透視図である。
【符号の説明】
【００６１】
１  携帯電話機
２  上部筐体
３  下部筐体
４  上部内側筐体
５  上部外側筐体
６  下部内側筐体
７  下部外側筐体
８  ヒンジ装置
９  コネクタ付ケーブル
１０  上部内面
１１  下部内面
１２  連結部
１３ａ  第１のヒンジカバー
１３ｂ  第２のヒンジカバー
１４  側面カバー
１５  第３のヒンジカバー
１６  開口
１７  第４のヒンジカバー
１８  ケーブル
１９ａ  第１のコネクタ
１９ｂ  第２のコネクタ
２０  回転シャフト
２１  固定カム
２２ａ  第１の摺動カム
２２ｂ  第２の摺動カム
２３ａ  第１のコイルばね
２３ｂ  第２のコイルばね
２４ａ  第１のスペーサ
２４ｂ  第２のスペーサ
２５ａ  第１の外郭
２５ｂ  第２の外郭
２６  ストッパー
２７  ワッシャ
３０  軸部
３１  第１の端部
３２  第２の端部
３３  配線通路
４０ａ  第１の固定カム面
４０ｂ  第２の固定カム面
４１  固定カム貫通孔
４２ａ  第１のカム溝
４２ｂ  第２のカム溝
４３  外周面
４４  回転止凸部
５０ａ  第１の摺動カム面
５０ｂ  第２の摺動カム面
５１ａ  第１の付勢面
５１ｂ  第２の付勢面
５２ａ  第１の摺動孔
５２ｂ  第２の摺動孔
５３ａ  第１のカム突起
５３ｂ  第２のカム突起
６０ａ  第１の壁部
６０ｂ  第２の壁部
６１ａ  第１の底部
６１ｂ  第２の底部
６２ａ  第１の底部貫通孔
６２ｂ  第２の底部貫通孔
６３ａ  第１の係止溝
６３ｂ  第２の係止溝
６４  回転止凹部
７０  ストッパー貫通孔
７１ａ  第１の係止片
７１ｂ  第２の係止片
７２  係止部材
７３  シャフト係止部
７４  配線出口
７５  収装孔
７６  矢印
【図１】
2008019989.tif 000003
【図２】
2008019989.tif 000004
【図３】
2008019989.tif 000005
【図４】
2008019989.tif 000006
【図５】
2008019989.tif 000007
【図６】
2008019989.tif 000008
【図７】
2008019989.tif 000009
【図８】
2008019989.tif 000010
【図９】
2008019989.tif 000011